(57)【要約】【課題】ＦＰＣを接続する相手側コネクタとして薄型で安価なものを使用しても信頼性が損なわれない「光学式ピックアップ」を提供すること。【解決手段】一端部１４ａがセット側の雌コネクタ３０に接続されるＦＰＣ１４を付設した光学式ピックアップにおいて、ＦＰＣ１４の該一端部１４ａとコネクタ接続前にショートクリップ２１で短絡されるランド部１５ｂ〜１５ｄとの間に、ショートクリップ２１が遊挿可能な矩形状の開口１４ｂを穿設しておき、開口１４ｂの辺縁部からランド部１５ｂ〜１５ｄに至る領域にショートクリップ２１を装着できるようにし、ＦＰＣ１４を雌コネクタ３０に接続した後、このショートクリップ２１を開口１４ｂ内で一端部１４ａ側へスライド移動することによってＦＰＣ１４から抜去できるようにした。【選択図】図１
2008135118.tif 000002
【特許請求の範囲】
【請求項１】
対物レンズを介してディスクに光ビームを出射する半導体レーザと、複数のリードパターンが配設されてその端子群が一端部に列設されたフレキシブルプリント基板とを備え、前記フレキシブルプリント基板には、前記半導体レーザへの信号伝達用に設けられたリードパターンの一部を露出させた第１のランド部と、接地用に設けられたリードパターンの一部を露出させた第２のランド部とが形成されており、かつ、前記フレキシブルプリント基板を板厚方向に弾性的に挟圧して前記第１および第２のランド部を短絡させるショートクリップが該フレキシブルプリント基板に装着可能であると共に、前記端子群を相手側コネクタへ接続した後に前記ショートクリップが前記フレキシブルプリント基板から抜去される光学式ピックアップにおいて、
前記フレキシブルプリント基板の前記一端部と前記第１および第２のランド部との間に切欠きを設け、前記ショートクリップが該切欠きの辺縁部から前記第１および第２のランド部に至る領域に装着可能であると共に、装着状態の該ショートクリップが前記一端部側へのスライド移動によって前記領域から抜去可能な構成にしたことを特徴とする光学式ピックアップ。
【請求項２】
請求項１の記載において、前記切欠きが前記フレキシブルプリント基板の内部に設けられた矩形状の開口であって、この開口の幅寸法と前記ショートクリップの幅寸法とが略同等に設定されていることを特徴とする光学式ピックアップ。
【発明の詳細な説明】
【技術分野】
【０００１】
本発明は、ＣＤ（コンパクトディスク）やＤＶＤ（デジタルバーサタイルディスク）等のディスクに対して信号を記録／再生する光学式ピックアップに係り、特に、光学式ピックアップをセット側に接続する前の状態において、光源である半導体レーザを静電気から保護するために用いられるショートクリップの着脱構造に関する。
【背景技術】
【０００２】
光学式ピックアップは、半導体レーザから出射された光ビームを対物レンズによってディスク（媒体）の記録面上に集光し、該ディスクからの戻り光ビームを対物レンズを介して光検出器で受光することによって信号の記録／再生を行うというものであり、レンズホルダに取り付けられた対物レンズは電磁駆動装置によってフォーカス方向とトラッキング方向へ駆動される。この電磁駆動装置にはフォーカスコイルとトラッキングコイルおよびマグネットが備えられており、マグネットがフォーカスコイルおよびトラッキングコイルに流れる電流の方向と交差する方向に磁束を発生するようになっている。また、かかる光学式ピックアップには可撓性を有する帯状のフレキシブルプリント基板（以下、ＦＰＣと略称する）が付設されており、このＦＰＣを介して半導体レーザや光検出器、電磁駆動装置等に対して信号が入出力されるようになっている。
【０００３】
このように概略構成された光学式ピックアップは、セット側である光ディスクプレーヤ（ＣＤプレーヤやＤＶＤプレーヤ）に組み込まれ、ＦＰＣの一端部（端子群を露出させている部分）をセット側の雌コネクタに電気的かつ機械的に接続することによって、該セット側の制御回路と電気的に接続されるが、光学式ピックアップをセット側へ組み込む前の段階で人体等に帯電した静電気が前記一端部からＦＰＣに侵入する可能性があり、その場合、静電気に対して弱い半導体レーザの静電破壊が懸念される。
【０００４】
そこで従来より、光学式ピックアップをセット側の雌コネクタに接続する前の段階で、ＦＰＣに配設されている半導体レーザ用のリードパターンと接地用のリードパターンとを半田によって短絡しておき、光学式ピックアップを相手側コネクタ（雌コネクタ）に接続した後に該半田短絡部を半田ごて等で除去することによって、半導体レーザに静電気が流入しないようにするという静電対策が講じられている（例えば、特許文献１参照）。なお、光学式ピックアップの接地用のリードパターンはセット側のアース回路と接続されるため、光学式ピックアップがセット側にコネクタ接続されると、半導体レーザは静電気から保護されるようになっている。
【０００５】
しかしながら、光学式ピックアップをセット側にコネクタ接続した後に半田短絡部を除去すると、ＦＰＣの一端部やセット側の雌コネクタ、あるいはマザーボード等に半田ボールやフラックスが付着して導通不良を招来する危険性がある。そこで近年、ＦＰＣに後刻除去される半田短絡部を設ける代わりに、半導体レーザ用のリードパターンと接地用のリードパターンとを短絡させるショートクリップを装着し、ＦＰＣをセット側の雌コネクタに接続した後に該ショートクリップを抜去することによって、半導体レーザを静電気から保護するようにした静電対策が提案されている。
【０００６】
図６はかかる従来提案を示す説明図であって、光学式ピックアップに付設されたＦＰＣ１の一側部に金属製のショートクリップ２が装着されている。このＦＰＣ１には図示せぬ複数のリードパターンが配設されており、各リードパターンの端子３群がＦＰＣ１の一端部１ａに列設されている。また、ＦＰＣ１の一端部１ａの近傍には、半導体レーザ用のリードパターンの一部を露出させたランド部４と、接地用のリードパターンの一部を露出させたランド部５とが形成されている。ＦＰＣ１の一端部１ａと略平行な一側部には、ショートクリップ２と略同幅な間隔を存して２箇所に位置決め片１ｂが突設されており、両位置決め片１ｂの間に外挿されたショートクリップ２が該一側部から両ランド部４，５に至る領域に装着されてＦＰＣ１を板厚方向に弾性的に挟圧している。かかる装着状態のショートクリップ２は両ランド部４，５に弾接しているため、金属製のショートクリップ２を介して両ランド部４，５は短絡されている。そして、ＦＰＣ１の一端部１ａを図示矢印Ａ方向へ差し込んでセット側の雌コネクタ６に接続した後に、ショートクリップ２を図示矢印Ｂ方向へ抜去することによって両ランド部４，５の短絡が解消されるため、セット側の制御回路と半導体レーザとの間で信号の伝達が可能となり、接地用のリードパターンはセット側のアース回路と接続される。
【特許文献１】特開平１１−２３８２４８号公報（第２頁、図４）
【発明の開示】
【発明が解決しようとする課題】
【０００７】
前述したように光学式ピックアップのＦＰＣにショートクリップを着脱させることによって半導体レーザを静電気から保護するという従来提案によれば、半田短絡部を除去する際に懸念される半田ボール等の付着を回避できるため信頼性の向上が図れる。しかしながら、かかる従来提案においては、セット側の雌コネクタ６に対するＦＰＣ１の差し込み方向（矢印Ａ方向）と、コネクタ接続したＦＰＣ１からショートクリップ２を抜去する方向（矢印Ｂ方向）とが逆向きであることから、ショートクリップ２の抜去時にＦＰＣ１の端子３群が脱落したり位置ずれを起こさないようにするために、雌コネクタ６にＦＰＣ１の脱落を防止するロック機構を設けておく必要があった。それゆえ、必然的に高価で大型となる雌コネクタ６を使用しなければならず、その影響でセット側である光ディスクプレーヤの薄型化が阻害されたり部品コストの上昇を余儀なくされるという問題を生じていた。
【０００８】
本発明は、このような従来技術の実情に鑑みてなされたもので、その目的は、ＦＰＣを接続する相手側コネクタとして薄型で安価なものを使用しても信頼性が損なわれない光学式ピックアップを提供することにある。
【課題を解決するための手段】
【０００９】
本発明は、一端部が相手側コネクタに接続されると共に、ショートクリップで短絡させることによって半導体レーザの静電破壊を防止可能な複数のランド部が形成されているＦＰＣに対して、ＦＰＣの一端部とランド形成部との間に開口または切欠きを設け、ショートクリップがこれら開口または切欠きの辺縁部からランド形成部に至る領域に装着できるようにすると共に、抜去時には開口または切欠きを利用してショートクリップがＦＰＣの一端部側へ必要量だけスライド移動できるようにした。
【発明の効果】
【００１０】
本発明の光学式ピックアップによれば、相手側コネクタに接続されるＦＰＣの一端部と、コネクタ接続前の段階で半導体レーザを静電気から保護するためにショートクリップを介して短絡される複数のランド部との間に、ショートクリップの抜去動作に必要なスライド移動量を確保できる開口または切欠きが設けられており、ＦＰＣの一端部を相手側コネクタへ差し込む方向と、コネクタ接続したＦＰＣからショートクリップを抜去する方向とがほぼ同じ向きに設定できるため、相手側コネクタにロック機構が設けられていなくても、ショートクリップの抜去時に相手側コネクタとＦＰＣとの間に位置ずれが発生する虞はない。それゆえ、相手側コネクタとしてロック機構を具備していない安価で薄型なものを使用しても導通の信頼性は損なわれず、よって光学式ピックアップが組み込まれる光ディスクプレーヤの薄型化や低コスト化を促進しやすくなる。
【発明を実施するための最良の形態】
【００１１】
本発明は、対物レンズを介してディスクに光ビームを出射する半導体レーザと、複数のリードパターンが配設されてその端子群が一端部に列設されたＦＰＣとを備え、前記ＦＰＣには、前記半導体レーザへの信号伝達用に設けられたリードパターンの一部を露出させた第１のランド部と、接地用に設けられたリードパターンの一部を露出させた第２のランド部とが形成されており、かつ、前記ＦＰＣを板厚方向に弾性的に挟圧して前記第１および第２のランド部を短絡させるショートクリップが該ＦＰＣに装着可能であると共に、前記端子群を相手側コネクタへ接続した後に前記ショートクリップが前記ＦＰＣから抜去される光学式ピックアップにおいて、前記ＦＰＣの前記一端部と前記第１および第２のランド部との間に切欠きを設け、前記ショートクリップが該切欠きの辺縁部から前記第１および第２のランド部に至る領域に装着可能であると共に、装着状態の該ショートクリップが前記一端部側へのスライド移動によって前記領域から抜去可能な構成にした。
【００１２】
このように相手側コネクタに接続されるＦＰＣの一端部とショートクリップで短絡される第１および第２のランド部との間に切欠きを設けておき、装着状態のショートクリップをＦＰＣの一端部側へスライド移動させることによって該ＦＰＣから抜去できるようにしてあると、ＦＰＣの一端部を相手側コネクタへ差し込む方向と、コネクタ接続後にショートクリップをＦＰＣから抜去する方向とがほぼ同じ向きに設定できるため、相手側コネクタにロック機構が設けられていなくても、ショートクリップの抜去時にＦＰＣが相手側コネクタから脱落したり位置ずれを起こさなくなる。したがって、相手側コネクタとしてロック機構を具備していない安価で薄型なものを適用しても、導通の信頼性が損なわれることはない。
【００１３】
上記の構成において、ＦＰＣの機械的強度を確保する上では、切欠きがＦＰＣの内部に設けられた矩形状の開口であることが好ましく、その際、この開口の幅寸法とショートクリップの幅寸法とが略同等に設定されていると、装着時のショートクリップを開口の内周壁によって位置決めできるため、特別な位置決め手段を設けなくてもショートクリップがＦＰＣの所定位置に容易かつ正確に装着できるようになる。
【実施例】
【００１４】
実施例について図面を参照して説明すると、図１は実施例に係る光学式ピックアップの外観図、図２は該光学式ピックアップのレーザ光の光路を示す説明図、図３は該光学式ピックアップのＦＰＣ先端部を示す斜視図、図４はショートクリップ装着前の該ＦＰＣ先端部を示す平面図、図５は図４に示すＦＰＣ先端部のリードパターンを拡大して示す詳細図である。
【００１５】
図１〜図３に示す光学式ピックアップは、アルミニウム等の金属材料からなるシャーシ１０と、このシャーシ１０上に支持されたアクチュエータ１１や受発光素子１２や反射ミラー１３と、リードパターン１５（図５参照）群が配設されたＦＰＣ１４等を備えて構成されており、ＦＰＣ１４の一端部１４ａがセット側である光ディスクプレーヤの雌コネクタ（相手側コネクタ）３０に接続されるようになっている。アクチュエータ１１は、対物レンズ１６を支持するレンズホルダ１７と、このレンズホルダ１７を複数本のワイヤ１８を介して弾性的に支持するベース部材１９と、対物レンズ１６をディスク（媒体）のフォーカス方向およびトラッキング方向へ駆動する電磁駆動装置９とによって主に構成されており、この電磁駆動装置９への通電用として兼用されるワイヤ１８群がＦＰＣ１４のリードパターン１５群に接続されている。受発光素子１２は、ＣＤ用半導体レーザとＤＶＤ用半導体レーザと受光素子とをユニット化したものである。この受発光素子１２は、シャーシ１０に固設された支持板２０に実装されており、受発光素子１２の端子部はＦＰＣ１４のリードパターン１５群に接続されている。反射ミラー１３はシャーシ１０の内底部の略中央に４５度の取付角度で固定されており、この反射ミラー１３の真上に対物レンズ１６が位置している。
【００１６】
図２に示すように、受発光素子１２の半導体レーザから出射された光ビームは反射ミラー１３で真上に反射され、対物レンズ１６によってディスクの記録面上に集光される。また、該ディスクからの戻り光ビームは、対物レンズを通過して反射ミラー１３で真横に反射され、受発光素子１２の受光素子で受光される。
【００１７】
ＦＰＣ１４の一端部１４ａにはリードパターン１５群の端子１５ａ群が列設されており、この一端部１４ａの近傍には矩形状の開口１４ｂが穿設されている。この開口１４ｂの幅寸法と奥行き寸法はそれぞれ、後述するショートクリップ２１の幅寸法と奥行き寸法に比して略同等で僅かに大となるように設定されているため、開口１４ｂ内に該ショートクリップ２１をほとんどガタのない状態で遊挿することができる。また、図４および図５に示すように、ＦＰＣ１４には開口１４ｂの近傍に３個のランド部１５ｂ，１５ｃ，１５ｄが形成されており、これらランド部１５ｂ〜１５ｄは開口１４ｂの辺縁部に沿って並設されている。ランド部１５ｂは、ＣＤ用半導体レーザへ信号を伝達するために設けられたリードパターン１５１の一部を露出させた銅箔露出部分である。同様にランド部１５ｃは、ＤＶＤ用半導体レーザへ信号を伝達するために設けられたリードパターン１５２の一部を露出させた銅箔露出部分であり、両ランド部１５ｂ，１５ｃにはそれぞれ係合孔１５ｅ，１５ｆが設けられている。また、ランド部１５ｄは、接地用に設けられたリードパターン１５３の一部を露出させた銅箔露出部分である。なお、ＦＰＣ１４のリードパターン１５群が形成されている面とは逆側の面には、一端部１４ａやランド部１５ｂ〜１５ｄや開口１４ｂ近傍等を機械的に補強するための補強フィルム２２が貼着されている。
【００１８】
ＦＰＣ１４の開口１４ｂの辺縁部からランド部１５ｂ〜１５ｄに至る領域には、予め３片の弾性片２１ａが並設された金属製のショートクリップ２１を装着しておく。このショートクリップ２１は、開口１４ｂの一端部１４ａ側とは逆側の辺縁部から外挿することによってＦＰＣ１４を板厚方向に弾性的に挟圧しており、かかる装着状態でショートクリップ２１の３片の弾性片２１ａがそれぞれランド部１５ｂ，１５ｃ，１５ｄに弾接している。これにより、ショートクリップ２１を介してランド部１５ｂ〜１５ｄどうしが短絡された状態となるため、人体等に帯電した静電気がリードパターン１５１やリードパターン１５２に流れ込んだとしても、ＣＤ用半導体レーザやＤＶＤ用半導体レーザが静電破壊される虞はなくなる。また、ショートクリップ２１の弾性片２１ａと対向する側の面には、図３に一部を示す突起部２１ｂが同図上向きに２本突設されており、両突起部２１ｂをそれぞれランド部１５ｂ，１５ｃの係合孔１５ｅ，１５ｆに嵌合させることによって、ＦＰＣ１４に対するショートクリップ２１の位置決め精度の向上と抜け止め強度の向上とが図られている。
【００１９】
そして、上記構成の光学式ピックアップをセット側である光ディスクプレーヤに組み込む際には、ショートクリップ２１を装着した状態でＦＰＣ１４の一端部１４ａをセット側の雌コネクタ３０に差し込んで接続した後、ショートクリップ２１に折曲形成された引出し片２１ｃを指に掛けて該ショートクリップ２１を開口１４ｂ内で一端部１４ａ側へスライド移動させることによってＦＰＣ１４から抜去する。こうしてショートクリップ２１をＦＰＣ１４のランド部１５ｂ〜１５ｄから離脱させることによって、ランド部１５ｂ〜１５ｄどうしの短絡が解消されるため、セット側の制御回路とＣＤ用半導体レーザやＤＶＤ用半導体レーザとの間で信号の伝達が可能となり、接地用のリードパターン１５３はセット側のアース回路と接続される。
【００２０】
このように本実施例に係る光学式ピックアップのＦＰＣ１４には、セット側の雌コネクタ３０に接続される一端部１４ａと、コネクタ接続前にショートクリップ２１で短絡されるランド部１５ｂ〜１５ｄとの間に、該ショートクリップ２１が遊挿可能な開口１４ｂが設けられており、装着状態のショートクリップ２１を開口１４ｂ内で一端部１４ａ側へスライド移動させることによって、該ショートクリップ２１がＦＰＣ１４から抜去できるようにしてある。すなわち、ＦＰＣ１４の一端部１４ａをセット側の雌コネクタ３０へ差し込む方向（図１中の矢印Ａ方向）と、コネクタ接続後にショートクリップ２１をＦＰＣ１４から抜去する方向（図３中の矢印Ａ方向）とがほぼ同じ向きに設定されている。それゆえ、セット側の雌コネクタ３０にロック機構が設けられていなくても、ショートクリップ２１の抜去時に雌コネクタ３０とＦＰＣ１４の端子１５ａ群との間に脱落や位置ずれが発生する虞はない。したがって、かかるＦＰＣ１４が付設された光学式ピックアップの場合、セット側の雌コネクタ３０としてロック機構を具備していない安価で薄型なものを使用しても、雌コネクタ３０との導通の信頼性が損なわれることはない。
【００２１】
また、本実施例に係る光学式ピックアップのＦＰＣ１４に設けられている開口１４ｂは、その幅寸法がショートクリップ２１の幅寸法と略同等に設定されているため、装着時のショートクリップ２１を開口１４ｂの内周壁によって位置決めすることができ、特別な位置決め手段を設けなくてもショートクリップ２１がＦＰＣ１４の所定位置に容易かつ正確に装着できる。また、このようにショートクリップ２１が開口１４ｂを利用してＦＰＣ１４に着脱できるようになっていると、着脱時のショートクリップ２１がＦＰＣ１４のリードパターン１５群をほとんど横切らないというパターンレイアウトが容易に実現できるため、この点でも信頼性の向上が期待できる。さらにまた、このＦＰＣ１４には、ショートクリップ２１の突起部２１ｂと係合可能な係合孔１５ｅ，１５ｆが設けてあるため、ＦＰＣ１４に対するショートクリップ２１の装着位置が高精度に規定できて抜け止め強度も高まっている。
【００２２】
なお、上記実施例では、ＣＤ用の半導体レーザとＤＶＤ用の半導体レーザとを備えた光学式ピックアップについて説明したが、いずれか一方の半導体レーザを備えた光学式ピックアップであっても、本発明が適用できることは言うまでもない。
【００２３】
また、上記実施例では、ショートクリップ２１がＦＰＣ１４の内部に設けられた開口１４ｂを利用して着脱できるようにしてあるが、ＦＰＣ１４の適宜領域に設けた切欠きを開口１４ｂと同様に機能させることも可能である。
【図面の簡単な説明】
【００２４】
【図１】本発明の実施例に係る光学式ピックアップの外観図である。
【図２】該光学式ピックアップのレーザ光の光路を示す説明図である。
【図３】該光学式ピックアップのＦＰＣ先端部を示す斜視図である。
【図４】ショートクリップ装着前の該ＦＰＣ先端部を示す平面図である。
【図５】図４に示すＦＰＣ先端部のリードパターンを拡大して示す詳細図である。
【図６】従来例に係る光学式ピックアップのＦＰＣ先端部を示す斜視図である。
【符号の説明】
【００２５】
１０  シャーシ
１２  受発光素子（半導体レーザと受光素子）
１４  ＦＰＣ（フレキシブルプリント基板）
１４ａ  一端部
１４ｂ  開口
１５，１５１，１５２，１５３  リードパターン
１５ａ  端子
１５ｂ，１５ｃ  ランド部（第１のランド部）
１５ｄ  ランド部（第２のランド部）
１５ｅ，１５ｆ  係合孔
１６  対物レンズ
１８  ワイヤ
２１  ショートクリップ
２１ａ  弾性片
２１ｂ  突起部
３０  雌コネクタ（相手側コネクタ）
【図１】
2008135118.tif 000003
【図２】
2008135118.tif 000004
【図３】
2008135118.tif 000005
【図４】
2008135118.tif 000006
【図５】
2008135118.tif 000007
【図６】
2008135118.tif 000008